【手続補正書】
【提出日】平成15年7月1日(2003.7.1)
【手続補正１】
【補正対象書類名】明細書
【補正対象項目名】発明の名称
【補正方法】変更
【補正の内容】
【発明の名称】周辺装置のコンフィギュレーション方法及び周辺装置のコンフィギュレーション装置
【手続補正２】
【補正対象書類名】明細書
【補正対象項目名】特許請求の範囲
【補正方法】変更
【補正の内容】
【特許請求の範囲】
【請求項１】
ユーザの介入無しに、サーバノードが接続されているネットワーク上で周辺装置のコンフィギュレーションをおこなうための方法であって、
（ａ）前記サーバノードが前記ネットワーク上の前記周辺装置を識別するための識別データを受けるステップと、
（ｂ）前記サーバノード上にドライバがまだインストールされていない場合、前記識別データの受信の際に前記サーバノードが前記周辺装置のドライバを自己インストールするステップと
を有することを特徴とする周辺装置のコンフィギュレーション方法。
【請求項２】
前記周辺装置が、プリンタ、デジタル複写機、又はファクシミリから選択される請求項１に記載の周辺装置のコンフィギュレーション方法。
【請求項３】
前記ドライバを自己インストールするステップが、前記周辺装置のドライバファイルにアクセスし、そして前記ドライバファイルを前記サーバノードに登録することを含む請求項１又は請求項２に記載の周辺装置のコンフィギュレーション方法。
【請求項４】
前記ドライバファイルへのアクセスが、前記サーバノードのメモリ位置から識別される記憶装置へのアクセスを含み、該記憶装置がサーバノードをネットワーク上で使えるようにしたソースとして識別される請求項３に記載の周辺装置のコンフィギュレーション方法。
【請求項５】
前記周辺装置が、プリンタであり、前記ドライバを自己インストールするステップが、前記周辺装置を前記サーバノードと連結するスプーリングシステムに登録することを含む請求項１〜請求項４のいずれか１項に記載の周辺装置のコンフィギュレーション方法。
【請求項６】
前記受信した識別データを検知すると、前記サーバノードが、前記周辺装置への通信ラインを自己作成することを更に含む請求項１〜請求項５のいずれか１項に記載の周辺装置のコンフィギュレーション方法。
【請求項７】
前記ネットワーク上で前記識別データを同報通信する前記周辺装置により前記識別データが受信される請求項１〜請求項６のいずれか１項に記載の周辺装置のコンフィギュレーション方法。
【請求項８】
前記受信した識別データから識別されたように、前記周辺装置の変更された構成パラメータを実現するために、前記サーバノードが自己変更することを更に含む請求項１〜請求項７のいずれか１項に記載の周辺装置のコンフィギュレーション方法。
【請求項９】
ユーザの介入無しに、サーバノードが接続されているネットワーク上で周辺装置を構成するための装置であって、
（ａ）前記ネットワーク上の前記周辺装置を識別するために前記サーバノードが識別データを受信することができるようにする手段と、
（ｂ）前記受信した識別データを検知すると、前記サーバノードが、前記周辺装置用のドライバを自己インストールすることが出来るようにする手段とを含む周辺装置のコンフィギュレーション装置。
【請求項１０】
前記受信した識別データから識別されたように、前記周辺装置の変更された構成パラメータを実現するために、前記サーバノードが自己変更するための手段を更に含む請求項９に記載の周辺装置のコンフィギュレーション装置。
【手続補正３】
【補正対象書類名】明細書
【補正対象項目名】０００１
【補正方法】変更
【補正の内容】
【０００１】
【発明の属する技術分野】本発明は、一般的にネットワーク通信に関し、より厳密には、プリンタのようなネットワークの周辺装置をネットワークに接続する際に、ユーザの介入無しに、自動的に構成又はコンフィギュレーション（各種設定）をおこなうためのコンフィギュレーション方法と装置とに関する。


【手続補正４】
【補正対象書類名】明細書
【補正対象項目名】００１６
【補正方法】変更
【補正の内容】
【００１６】
次に、ステップＳ１３０で「ネットワークプラグアンドプレイ」ソフトウエア５０が、プリンタ３０を識別するための識別データであるＳＬＰ応答パケットのデータを受取ると、（このＳＬＰ応答パケットのデータで識別される）プリンタ３０がネットワークにとって新しい装置であるかどうかを判定するために、プリントサーバ２０のキャッシュ３５のリサーチを開始する。プリンタ３０がネットワークにとって新しい装置（ステップＳ１３５）であった場合（例えば、キャッシュ３５にプリンタ３０のエントリがなかった場合）は、ステップＳ１４０でキャッシュ３５に新たなエントリとして追加される。更に重要なのは、プリンタ３０をキャッシュ３５に新たなエントリとして加えた後、「ネットワークプラグアンドプレイ」ソフトウエア５０が、ＳＬＰ応答パケットにより提供されたプリンタのモデルに基づいて、プリントサーバ２０にプリンタ３０用の適切なプリントドライバをインストールすることである。


【手続補正５】
【補正対象書類名】明細書
【補正対象項目名】００１７
【補正方法】変更
【補正の内容】
【００１７】
適切なプリントドライバを自動的にインストールするには、適切なプリントドライバが既に登録されているかを調べるためにスプーリングシステム４０と通信する必要がある（図３のステップＳ１４５）。スプーリングシステム４０に適切なプリントドライバが登録されていなかった場合は、ステップＳ１５０で、ネットワークオペレーティングシステムのインストールソース（の位置）が判定され（すなわち、Ｗｉｎｄｏｗｓ及びＷｉｎｄｏｗｓＮＴオペレーティングシステム中の保存された位置から判定され）、そのソース（すなわち、記憶装置のローカル又はリモートディスクドライブ）がアクセスされてプリントドライバを自動的に得ようとする。ネットワークオペレーティングシステムをインストールするために使ったオリジナルのディスクがインストールソース位置（ステップＳ１５５）（例えば、ドライブの中）にある場合、ステップＳ１６０でプリンタ３０用の適切なプリントドライバがアクセスされ、スプーリングシステム４０に登録される。したがって、プリントドライバのインストールは、本発明の「ネットワークプラグアンドプレイ」ソフトウエア５０及び「ネットワークプラグアンドプレイ」モジュール５５により完全に自動化されている。


【手続補正６】
【補正対象書類名】明細書
【補正対象項目名】００２７
【補正方法】変更
【補正の内容】
【００２７】
１．ユーザの介入無しに、サーバノード（２０）が接続されているネットワーク（１０）上で周辺装置（３０）のコンフィギュレーションをおこなうための方法であって、（ａ）サーバノード（２０）がネットワーク（１０）上の周辺装置（３０）を識別するための識別データを受けるステップ（Ｓ１３０）と、（ｂ）前記サーバノード（２０）上にドライバがまだインストールされていない場合（Ｓ１４５）、前記識別データの受信の際に前記サーバノードが前記周辺装置のドライバを自己インストールするステップ（Ｓ１６０）とを有する周辺装置のコンフィギュレーション方法。


【手続補正７】
【補正対象書類名】明細書
【補正対象項目名】００２８
【補正方法】変更
【補正の内容】
【００２８】
２．前記周辺装置（３０）が、プリンタ、デジタル複写機、又はファクシミリから選択される上記１記載の周辺装置のネットワーク構成方法。


【手続補正８】
【補正対象書類名】明細書
【補正対象項目名】００２９
【補正方法】変更
【補正の内容】
【００２９】
３．前記ドライバを自己インストールするステップ（Ｓ１６０）が、前記周辺装置のドライバファイルにアクセスし、そして前記ドライバファイルを前記サーバノードに登録することを含む上記１又は２に記載の周辺装置のコンフィギュレーション方法。


【手続補正９】
【補正対象書類名】明細書
【補正対象項目名】００３０
【補正方法】変更
【補正の内容】
【００３０】
４．前記ドライバファイルへのアクセスが、前記サーバノード（２０）のメモリ位置（インストールソース位置）から識別される記憶装置へのアクセス（Ｓ１５０、Ｓ１５５）を含み、該記憶装置がサーバノードをネットワーク上で使えるようにしたソースとして識別される上記３に記載の周辺装置のコンフィギュレーション方法。


【手続補正１０】
【補正対象書類名】明細書
【補正対象項目名】００３１
【補正方法】変更
【補正の内容】
【００３１】
５．前記周辺装置が、プリンタ（３０）であり、前記ドライバを自己インストールするステップ（Ｓ１６０）が、前記周辺装置を前記サーバノードと連結するスプーリングシステムに登録することを含む上記１〜４のいずれか１項記載の周辺装置のコンフィギュレーション方法。


【手続補正１１】
【補正対象書類名】明細書
【補正対象項目名】００３２
【補正方法】変更
【補正の内容】
【００３２】
６．前記受信した識別データを検知すると、前記サーバノード（２０）が、前記周辺装置への通信ライン（通信ポート及びプリント待ち行列など）を自己作成（Ｓ１７５，Ｓ１８０）することを更に含む上記１〜５のいずれか１項記載の周辺装置のコンフィギュレーション方法。


【手続補正１２】
【補正対象書類名】明細書
【補正対象項目名】００３３
【補正方法】変更
【補正の内容】
【００３３】
７．前記ネットワーク（１０）上で前記識別データを同報通信する（Ｓ１２５）周辺装置（３０）により識別データが受信される（Ｓ１３０）上記１〜６のいずれか１項記載の周辺装置のコンフィギュレーション方法。


【手続補正１３】
【補正対象書類名】明細書
【補正対象項目名】００３４
【補正方法】変更
【補正の内容】
【００３４】
８．前記受信した識別データから識別されたように、前記周辺装置の変更された構成パラメータを実現するために、前記サーバノード（２０）が自己変更する（Ｓ１９０，Ｓ１９２，Ｓ１９５）ことを更に含む上記１〜７のいずれか１項記載の周辺装置のコンフィギュレーション方法。


【手続補正１４】
【補正対象書類名】明細書
【補正対象項目名】００３５
【補正方法】変更
【補正の内容】
【００３５】
９．ユーザの介入無しに、サーバノード（２０）が接続されているネットワーク（１０）上で周辺装置（３０）のコンフィギュレーションをおこなうための装置（５０，５５）であって、（ａ）ネットワーク（１０）上の周辺装置（３０）を識別するためにサーバノード（２０）が識別データを受信する（Ｓ１３０）ことができるようにする手段（５０，５５）と、（ｂ）前記受信した識別データを検知すると、前記サーバノード（２０）が、前記周辺装置（３０）用のドライバを自己インストールする（Ｓ１６０）ことが出来るようにする手段（５０，５５）とを含む周辺装置のコンフィギュレーション装置。


【手続補正１５】
【補正対象書類名】明細書
【補正対象項目名】００３６
【補正方法】変更
【補正の内容】
【００３６】
１０．前記受信した識別データから識別されたように、前記周辺装置（３０）の変更された構成パラメータを実現するために、前記サーバノード（２０）が自己変更する（Ｓ１９０，Ｓ１９２，Ｓ１９５）ための手段を更に含む上記９に記載の周辺装置のコンフィギュレーション装置。